(57)【要約】      （修正有）【課題】電動式移動棚装置に収納された図書の位置を、利用者が迅速に把握することができる電動式移動棚装置を提供する。【解決手段】マトリックス型二次元コードを使用して、タッチパネル式ディスプレイ装置３１に所望する図書１８を収納した棚位置をマップ表示する一方、図書１８が収納されている移動棚の正面板２９および複数の棚連１７ａ、１７ｂ、１７ｃより成る各棚連の天板３３ａ、３３ｂ、３３ｃに色の異なる複数個のＬＥＤランプを備えた棚列電光指示装置３５および棚連電光指示装置３７がそれぞれ設置され、ＬＥＤランプの数の分の複数の利用者が同時に利用できるようにすると共に、所望する図書１８が収納されている移動棚および棚連の位置を各利用者ごと同一の色のＬＥＤランプを点灯させて利用者に視認させる。【選択図】図２
2015131717.tif 000002
【特許請求の範囲】
【請求項１】
図書が収納されている各移動棚の棚板の棚列・棚段管理固有バーコードをバーコードリーダーで読み込むと共に、前記収納保管する図書の図書管理固有バーコードを前記バーコードリーダーで読み込み、且つ前記棚列・棚段管理固有バーコードおよび図書管理固有バーコードを読み込んだ前記バーコードリーダーを有線または無線により移動棚管理パソコンに接続して、該バーコードリーダーに読み込まれた棚列・棚段管理固有番号および図書管理固有番号を移動棚管理パソコンに登録した後、該移動棚管理パソコンから前記登録情報を業務用管理サーバに転送して登録し、更に、予めＯＰＡＣ検索システムにより、図書名・著者名および分類番号等の書誌情報と、前記書誌情報を変換したマトリックス型二次元コードとを登録した図書管理システムの登録情報と、前記業務用管理サーバの登録情報とを該業務管理サーバでリンクさせて、該リンクして得られた新たな登録情報を登録して図書管理システムが構築され、利用者が、前記図書管理システムにより所望する図書の書誌情報を入力して検索して、所望する図書の書誌情報を表示した取出し指示票をプリントアウトし、あるいは前記マトリックス型二次元コードをスマートフォンで保存し、該取出し指示票またはスマートフォンで保存されたマトリックス型二次元コードを、前記移動棚に設置されたリーダーにかざして読み取り、その登録情報がタッチパネル式ディスプレイ装置に表示され、利用者が該タッチパネル式ディスプレイ装置に表示された登録情報が所望の図書のものと同一であることを確認して、タッチパネルスイッチにタッチすると、移動棚制御システムの指令信号により、所望の図書が収納されている移動棚を移動させて所望の通路を開放できるようにする一方、前記ディスプレイ装置に所望する図書の収納位置がマップ表示されると共に、前記所望の図書が収納されている移動棚の正面板と、該所望の図書が収納されている棚板が位置する棚連の天板とに設置された、棚列電光指示装置および棚連電光指示装置を構成するそれぞれ色の異なる複数個のＬＥＤランプのうち、同一色のＬＥＤランプを点灯させることを特徴とする図書館における電動式移動棚装置。
【発明の詳細な説明】
【技術分野】
【０００１】
本発明は、図書館において、図書を収納する電動式移動棚装置に関し、より詳細には、マトリックス型二次元コード（一般には、「ＱＲコード（登録商標）」と呼ばれている）を使用して、ディスプレイ装置に所望する図書を収納した棚位置をマップ表示する一方、該図書が収納されている移動棚および棚連をＬＥＤ電光表示するため、各移動棚の正面板および複数の棚連より成る各棚連の天板に、それぞれ色の異なる複数個のＬＥＤランプが設置され、該ＬＥＤランプの数の分の複数の利用者が同時に利用できるようにすると共に、所望する図書が収納されている移動棚および棚連の位置を、各利用者ごと同一の色のＬＥＤランプを点灯させて、利用者が前記点灯している移動棚および棚連のＬＥＤランプ視認ことにより、電動式移動棚に収納された図書の位置を迅速に把握することができ、その結果出納作業が効率よくできる図書館における電動式移動棚装置に関するものである。
【背景技術】
【０００２】
従来、図書館は膨大な図書を有し、その図書を保管するために、保管効率を高める目的から複数の電動式移動棚を利用して図書を保管している。一方、膨大な図書類を管理するため図書館では、図書館における検索システムとして汎用されているＯＰＡＣ検索システムを使用して各図書の情報をデータベース化し管理する図書管理システムが構築され、各図書は予め決められた分類方式に従ってデータベース化し、管理、保管されている。そして、これらの図書類を移動棚より取り出すためには、前記ＯＰＡＣ検索端末により、所望する図書の検索を行い、移動棚に収納されている場所を検索し、収納されている移動棚を所定の位置に移動して、所望する図書を取り出し、または収納していた。
【０００３】
一方、マトリックス型二次元コードを使用する図書館における電動式移動棚装置に関し、過去の特許文献を遡及検索したが、本発明と同一の技術思想の電動式移動棚装置は１件も開示されていなかった。単に、下記の特許文献１に示すようなタッチパネル式ディスプレイ装置が開示されているに過ぎない。前記特許文献１に示すシステムは、ＲＦＩＤタグ付き本を収納し、該ＲＦＩＤタグに記録されたタグ情報を認識するためのＲＦＩＤリーダーを備える複数の棚と、該複数の棚のうち少なくとも１つを移動させる移動手段と、前記本が前記棚に入出及び収納されることを管理するサーバーを通じたユーザーの指令によって前記移動手段を制御して、前記棚のそれぞれの離間距離を調節する制御部を備えて形成されている。
【先行技術文献】
【特許文献】
【０００４】
【特許文献１】特開２０１２−１０６８５６号公報
【発明の概要】
【発明が解決しようとする課題】
【０００５】
前記従来の図書館における複数の電動式移動棚を利用する図書管理システムでは、図書の保管数量の増加に伴い、保管設備としての移動棚も増加し、このため図書の保管場所が日常的、頻繁に変わると共に、不特定多数の利用者に開放し、利用頻度も増加しており、利用者が目的の図書を検索し、保管されている棚より取り出す場合、図書を検索しても保管されている棚を特定することが出来ないケースが増え、容易に図書を取り出し、または収納することができなくなるという課題があった。
【０００６】
更に、前記特許文献１記載の発明においては、タッチパネル式ディスプレイ装置のタッチパネルスイッチにタッチして、移動棚の運転操作により、所望の図書が収納されている図書の移動棚が自動運転されて出納作業用通路が形成されるので、利用者はいちいち目的の棚を目視で探す必要はなく、迅速に、然も正確に所望の図書を取り出し、または収納することができる。しかしながら、前記特許文献１記載の発明においては、前記ディスプレイ装置に所望する図書を収納した棚位置をマップ表示する手段を備えておらず、また所望する図書が収納されている棚および棚連にＬＥＤランプを点灯して、利用者に視認させるという手段を備えていないので、移動棚に収納されている図書の位置を迅速に把握することができず、出納作業が効率よくできないという課題があった。
【０００７】
本発明は、前記課題を解決すべくなされたものであって、図書名・著者名および分類番号等の書誌情報と、前記書誌情報を変換したマトリックス型二次元コードとを登録した図書管理システムにより、利用者が所望する図書の書誌情報を入力して検索して、所望する図書の書誌情報を表示した取出し指示票をプリントアウトし、あるいは前記マトリックス型二次元コードをスマートフォンで保存し、該取出し指示票またはスマートフォンで保存されたマトリックス型二次元コードを、前記移動棚に設置されたリーダーにかざして読み取り、その登録情報がタッチパネル式ディスプレイ装置に表示され、利用者が該タッチパネル式ディスプレイ装置に表示された登録情報が所望の図書のものと同一であることも確認して、タッチパネルスイッチにタッチすると、移動棚制御システムの指令信号により、所望の図書が収納されている移動棚を移動させて所望の通路を開放できるようにする一方、前記ディスプレイ装置に所望する図書の収納位置がマップ表示されると共に、前記所望の図書が収納されている移動棚の正面板と、該所望の図書が収納されている棚板が位置する棚連の天板とに設置された色の違う複数個のＬＥＤランプのうち、同一色のＬＥＤランプを点灯させて、所望する図書が収納されている移動棚および棚連の位置を利用者が視認ことにより、電動式移動棚に収納された図書の位置を迅速に把握することができ、その結果出納作業が効率よくでき、更に前記複数個のＬＥＤランプの数の分だけ、同時に複数の利用者が利用できるようにした図書館における電動式移動棚装置に関するものである。
【課題を解決するための手段】
【０００８】
本発明は、図書が収納されている各移動棚の棚板の棚列・棚段管理固有バーコードをバーコードリーダーで読み込むと共に、前記収納保管する図書の図書管理固有バーコードを前記バーコードリーダーで読み込み、且つ前記棚列・棚段管理固有バーコードおよび図書管理固有バーコードを読み込んだ前記バーコードリーダーを有線または無線により移動棚管理パソコンに接続して、該バーコードリーダーに読み込まれた棚列・棚段管理固有番号および図書管理固有番号を移動棚管理パソコンに登録した後、該移動棚管理パソコンから前記登録情報を業務用管理サーバに転送して登録し、更に、予めＯＰＡＣ検索システムにより、図書名・著者名および分類番号等の書誌情報と、前記書誌情報を変換したマトリックス型二次元コードとを登録した図書管理システムの登録情報と、前記業務用管理サーバの登録情報とを該業務管理サーバでリンクさせて、該リンクして得られた新たな登録情報を登録して図書管理システムが構築され、利用者が、前記図書管理システムにより所望する図書の書誌情報を入力して検索して、所望する図書の書誌情報を表示した取出し指示票をプリントアウトし、あるいは前記マトリックス型二次元コードをスマートフォンで保存し、該取出し指示票またはスマートフォンで保存されたマトリックス型二次元コードを、前記移動棚に設置されたリーダーにかざして読み取り、その登録情報がタッチパネル式ディスプレイ装置に表示され、利用者が該タッチパネル式ディスプレイ装置に表示された登録情報が所望の図書のものと同一であることを確認して、タッチパネルスイッチにタッチすると、移動棚制御システムの指令信号により、所望の図書が収納されている移動棚を移動させて所望の通路を開放できるようにする一方、前記ディスプレイ装置に所望する図書の収納位置がマップ表示されると共に、前記所望の図書が収納されている移動棚の正面板と、該所望の図書が収納されている棚板が位置する棚連の天板とに設置された、棚列電光指示装置および棚連電光指示装置を構成するそれぞれ色の異なる複数個のＬＥＤランプのうち、同一色のＬＥＤランプを点灯させるという手段を採用することにより、上記課題を解決した。
【発明の効果】
【０００９】
前記構成より成る本発明によれば、図書管理システムにより、利用者が所望する図書の書誌情報を入力して検索して、所望する図書の書誌情報およびマトリックス型二次元コードを表示した取出し指示票をプリントアウトし、あるいは前記マトリックス型二次元コードをスマートフォンで保存し、該取出し指示票またはスマートフォンで保存されたマトリックス型二次元コードを、移動棚に設置されたリーダーにかざして読み込み、その登録情報がタッチパネル式ディスプレイ装置に表示され、移動棚制御システムの指令信号により、所望の図書が収納されている移動棚を移動させて所望の通路を開放できるようにする一方、前記ディスプレイ装置に所望する図書の収納位置がマップ表示されるので、収納棚の大体の位置を把握できると共に、前記所望の図書が収納されている移動棚の正面板と、該所望の図書が収納されている棚板が位置する棚連の天板とにＬＥＤランプを点灯させるので、利用者が簡単、且つ迅速に点灯しているＬＥＤランプを視認して、電動式移動棚に収納された図書の位置を迅速に把握することができ、その結果出納作業が迅速、且つ効率よくでき、更に前記複数個のＬＥＤランプの数の分だけ、同時に複数の利用者が利用でき、また、一旦取り出した図書を元の棚に収納する場合、または時間をおいて、あるいは異なった日に前記同一の図書を取り出す場合も、いちいち図書管理システムにより所望する図書を検索することなく、前記一旦プリントアウトした取出した指示票、またはスマートフォンを再度使用することにより、極めて迅速に図書の出納作業ができるという優れた効果を奏することができる。
【図面の簡単な説明】
【００１０】
【図１】本発明図書館における電動式移動棚装置の概略説明図である。
【図２】本発明図書館における電動式移動棚装置の使用状態を示す斜視図である。
【図３】本発明図書館における電動式移動棚装置に使用する図書とバーコードリーダーとの関係を示す斜視図である。
【図４】本発明図書館における電動式移動棚装置を構成する棚列電光指示装置の拡大正面図である。
【図５】本発明図書館における電動式移動棚装置を構成する棚列電光指示装置の拡大横断面図である。
【図６】本発明図書館における電動式移動棚装置を構成する棚連電光指示装置の拡大正面図である。
【図７】本発明図書館における電動式移動棚装置のタッチパネル式ディスプレイ装置に表示されたマップ表示である。
【実施例】
【００１１】
本発明図書館における電動式移動棚装置は、特に限定する必要はないが、好ましくは、図１に示すような電動式移動棚装置を使用することが推奨される。すなわち、図１に示すように、電動式移動棚装置Ｔは、床上に敷設されたレールＲ上に移動棚Ａ〜Ｅがそれぞれ所定の配列方向に沿って配置されると共に、前記各移動棚Ａ〜Ｅが所定の配列方向に沿って前記レールＲ上を走行車輪Ｗを介して左右方向に移動可能に配置されている。
【００１２】
前記各移動棚Ａ〜Ｅのうち、両端の移動棚Ａ・Ｅは固定棚であってもよく、また壁面であってもよい。本発明の実施例においては、説明の都合上、すべてが移動棚として説明する。
【００１３】
前記各移動棚Ａ〜Ｅ間には、それぞれ相隣る移動棚間に通路１１〜１４が形成でき、図１においては、前記移動棚Ａ・Ｂ・Ｃをそれぞれ左側に移動させて密集すると共に、前記移動棚Ｄ・Ｅを右側に移動させて、通路１３部分を最大限に広く開けて取り出す作業用通路として、図書を取り出す作業が円滑に行われるよう形成されている。
【００１４】
また、前記各移動棚Ａ〜Ｅは、それぞれ複数段の棚板１５が、一定間隔で複数の区画板１６によって縦に区画されて、複数の棚連１７を備えている。図２においては、棚板１５が６段、区画板１６が２枚、棚連１７が３連に亘って形成されているが、これに限定されるものではない。
【００１５】
前記各移動棚Ａ〜Ｅの下部には、それぞれ自走用の可逆モータＭ１〜Ｍ５が取付けられていて、それぞれ各移動棚Ａ〜Ｅの底部に軸装された走行車輪Ｗを回転させてレールＲ上を走行する。
【００１６】
また、前記各移動棚Ａ〜Ｅに収納される各図書１８には、図書を管理するために付与された固有の登録番号を記録した図書管理固有バーコード１９が取付けられていると共に、前記各移動棚Ａ〜Ｅにおいて、前記各図書を収納する各棚板１５には、該各移動棚Ａ〜Ｅの棚列・棚段を管理するための固有の登録番号を記録した棚列・棚段管理固有バーコード２０がそれぞれ取付けられている。なお、図２においては、図書管理固有バーコード１９および棚列・棚段管理固有バーコード２０が使用されているが、該バーコード１９・２０に代えて、ＲＦＩＤタグを使用してもよい。
【００１７】
そして、本発明においては、図書１８が収納されている各移動棚Ａ〜Ｅの棚板１５の棚列・棚段管理固有バーコード２０をバーコードリーダー２１で読み取り、その後前記収納保管する図書１８の図書管理固有バーコード１９を前記バーコードリーダー２１で読み込んで、該図書１８を収納する棚列および棚段を特定しておく必要がある。なお、新しい図書１８を前記各移動棚Ａ〜Ｅのいずれかの棚板１５に収納保管する度毎に前記各読み込み作業を繰返すことになる。
【００１８】
前記棚列・棚段管理固有バーコード２０および図書管理固有バーコード１９の読み込み作業が完了すると、図書管理者は前記棚列・棚段管理固有バーコード２０および図書管理固有バーコード１９を読み込んだ前記バーコードリーダー２１を有線または無線により移動棚管理パソコン２２に接続して、該バーコードリーダー２１に読み込まれた棚列・棚段管理固有番号および図書管理固有番号を前記移動棚管理パソコン２２に登録した後、該移動棚管理パソコン２２から前記登録情報を業務用管理サーバ２３に転送して登録し、更に、予めＯＰＡＣ検索システムにより、図書の図書名・著者名および分類番号等の書誌情報と、前記書誌情報を変換したマトリックス型二次元コードとを登録した図書管理システム２４の登録情報と、前記業務用管理サーバ２３の登録情報とを該業務管理サーバ２３でリンクさせて、該リンクして得られた新たな登録情報を前記図書管理システム２４に登録することにより図書管理システムが構築されて、図書情報の登録作業が完了する。
【００１９】
前記図書管理システム２４に前記登録情報が登録されることが、本発明の前提条件となる。すなわち、前記図書情報の登録が完了した後、図書利用者は、前記図書管理システム２４において、所望する図書に関する所定の図書情報を入力して図書の検索をして、前記図書管理システム２４に棚列・棚段管理固有番号および図書固有管理番号の登録情報を変換して形成されたマトリックス型二次元コード２５と、前記図書管理システム２４に登録された書誌情報とを表示してプリンター２６で取出し指示票２７としてプリントアウトすることができるよう形成されている。なお、前記取り出し指示票２７に表示されたマトリックス型二次元コード２５をスマートフォン２８に取り込んで保存することもできる。
【００２０】
また、図示していないが、図書館において、前記図書管理システム２４に記録された前記書誌情報が広くウェブサイトで公開されている場合は、利用者はインターネット機能を備えたスマートフォン２８を使用して、前記図書管理システム２４にアクセスして検索し、選択した図書に関するマトリックス型二次元コードを、前記スマートフォン２８に取り込んで保存することができる。
【００２１】
一方、前記各移動棚Ａ〜Ｅのいずれかの正面板２９には、前記プリントアウトした取出し指示票２７のマトリックス型二次元コード２５、またはスマートフォン２８に表示されたマトリックス型二次元コード２５をかざして、該取出し指示票２７またはスマートフォン２８に表示されたマトリックス型二次元コード２５を読み込むリーダー３０が設置されると共に、前記リーダー３０で読み込まれた前記マトリックス型二次元コード２５に変換された情報を表示するタッチパネル式ディスプレイ装置３１が設置されている。また、前記タッチパネル式ディスプレイ装置３１は、前記移動棚Ａ〜Ｅの作動を制御する機能を備えた移動棚制御システム３２とケーブル等により接続されている。
【００２２】
そして、利用者が前記マトリックス型二次元コード２５に基づき、所望の図書１８を移動棚より取り出すためには、該所望の図書１８を収納した移動棚を探し、所定の移動棚より取り出す必要があるが、前記各移動棚Ａ〜Ｅは前記移動棚管理パソコン２２により集中的に管理されており、前記移動棚制御システム３２の制御により、前記各移動棚Ａ〜Ｅのうち所定の移動棚を移動させて、所望の図書１８を取り出すための作業用通路を形成することができる。
【００２３】
そして更に、本発明においては、図に示すように、前記所望の図書１８の配架位置が前記タッチパネル式ディスプレイ装置３１に移動棚制御システム３２の指令により、全移動棚が表示され、その中に所望の図書１８が収納されている移動棚が、例えば、着色表示されることにより識別できるように、その収納棚位置がマップ表示されて、所望する図書を収納した棚列の位置を視認することができるように形成されている。
【００２４】
更に、前記移動棚Ａ〜Ｅの各正面板２９と、各棚板１５の各棚連１７ａ〜１７ｃの各天板３３ａ〜３３ｃとに、所望する図書が収納されている移動棚および棚連をＬＥＤ電光表示するための複数個の色の異なるＬＥＤランプ３４ａ〜３４ｅを備えた棚列電光指示装置３５と、複数個の色の異なるＬＥＤランプ３６ａ〜３６ｅを備えた棚連電光指示装置３７がそれぞれ設置され、前記複数個の色の異なるＬＥＤランプ３４ａ〜３４ｅおよび３６ａ〜３６ｅの数の分だけ、複数の利用者が同時に利用でき、利用者ごとに所定同一の色のＬＥＤランプを点灯させることにより、所望する図書１８の収納棚および収納棚段を利用者に指示し、確実に所望する図書１８の収納位置を視認することができるよう形成されている。
【００２５】
なお、前記移動棚Ａ〜Ｅの各正面板２９と、各棚板１５の各棚連１７ａ〜１７ｃの各天板３３ａ〜３３ｃとに設置されている棚列電光指示装置３５のＬＥＤランプ３４ａ〜３４ｅおよび棚連電光指示装置３７のＬＥＤランプ３６ａ〜３６ｅは、図４・図６においては、それぞれ５個ずつ設置しているので、本発明装置は５人の利用者まで同時に使用することができるよう形成されている。しかしながら、これに限定されるものではなく、ＬＥＤランプの数を任意に設定することにより、同時使用可能な利用者の数を調整することができる。
【００２６】
前記棚列電光指示装置３５のＬＥＤランプ３４ａ〜３４ｅは、各移動棚Ａ〜Ｅの各正面板２９の上方部の両側端面（棚板が移動棚の一側面側にのみにしかない場合は、棚板ある側端面）に設置されている。前記棚列電光指示装置３５は、特に限定する必要はないが、好ましくは、図に示すような構成とすることが推奨される。すなわち、図４・図５に示すように、棚列電光指示装置３５は、移動棚Ａ〜Ｅの各正面板２９の上方部の両側端面を斜めに切断して、該切断部にＬＥＤランプ固定板３８を前記正面板２９と該正面板２９に連なる側面板３９に斜めに架け渡して固定し、且つ該ＬＥＤランプ固定板３８に複数の区画板４０を一定間隔を有して固設して、複数個のランプ室４１（図４においては５室設置されている）を設けると共に、該各ランプ室４１に前記色の異なるＬＥＤランプ３４ａ〜３４ｅを設置し、更に、該ＬＥＤランプ３４ａ〜３４ｅの外側に、直角に折曲した半透明プラスチックカバー４２を固定して形成されている。前記のような構成とすることにより、各移動棚Ａ〜Ｅの各ＬＥＤランプの点灯状態が、正面側および開放通路側からも視認することができる。
【００２７】
また、前記棚連電光指示装置３７のＬＥＤランプ３６ａ〜３６ｅは、各棚板１５の各連１７ａ〜１７ｃの各天板３３ａ〜３３ｃにそれぞれ設置されている。前記棚連電光指示装置３７は、特に限定する必要はないが、好ましくは、図に示すような構成とすることが推奨される。すなわち、図６に示すように、棚連電光指示装置３７は、各棚板１５の各連１７ａ〜１７ｃの各天板３３ａ〜３３ｃの前面側に、ＬＥＤランプ固定板４３を固定し、且つ該ＬＥＤランプ固定板４３に複数の区画板４４を一定間隔を有して固設して、複数個のランプ室４５（図６においては５室設置されている）を設けると共に、該各ランプ室４５に前記色の異なるＬＥＤランプ３６ａ〜３６ｅを設置し、更に、該ＬＥＤランプ３６ａ〜３６ｅの外側に、コ字状の半透明プラスチックカバー４６を固定して形成されている。
【００２８】
前記構成より電動式移動棚装置の作用について説明する。利用者は図書管理システム２４を用いて所望する図書を検索して、選択した図書の棚列および棚段番号および図書管理固有番号をマトリックス型二次元コード２５として表示すると共に、その他の書誌情報をも前記図書管理システム２４に表示させ、該マトリックス型二次元コード２５と書誌情報をプリンター２６で取出し指示票２７としてプリントアウト、または前記マトリックス型二次元コード２５をスマートフォン２８に保存する。
【００２９】
前記マトリックス型二次元コード２５とその他の書誌情報をプリンター２６で取出し指示票２７としてプリントアウトし、また前記マトリックス型二次元コード２５をスマートフォン２８に保存した後、利用者は該取出し指示票２７に表示されたマトリックス型二次元コード２５、またはスマートフォン２８に保存されたマトリックス型二次元コード２５をリーダー３０にかざして、該マトリックス型二次元コード２５に記録された情報およびその他の書誌情報をタッチパネル式ディスプレイ装置３１に表示させ、前記タッチパネル式ディスプレイ装置３１に表示された情報が、利用者の所望する図書の情報と一致するものであれば、前記タッチパネル式ディスプレイ装置３１のタッチパネルスイッチにタッチして、前記移動棚制御システム３２を介して移動棚移動指令を発すると共に、前記ディスプレイ装置３１に所望の図書１８の収納位置が、例えば、図７に示すようにマップ表示４７され、更に、前記所望の図書１８が収納されている移動棚の正側板２９および棚板１５の連１７の天板３３に設置されている前記棚板電光指示装置３５のＬＥＤランプ３４ａ〜３４ｅ、および棚連電光指示装置３７のＬＥＤランプ３６ａ〜３６ｅのうちいずれか１色の各ＬＥＤランプが点灯し、移動棚制御システム３２により移動棚は自動運転されて、図書１８の取り出し、または収納が可能なように作業用通路が形成される。これにより、利用者は、前記点灯している棚列のＬＥＤランプを目標にして通路内に進入すると共に、棚連の点灯しているＬＥＤランプの下方の棚板に収納されている所望の図書１８を取り出すことができる。
【００３０】
なお、前記ディスプレイ装置３１に、所望の図書１８が収納されている移動棚の位置を示すマップ表示４７が図のよう表示されるが、その際前記ＬＥＤランプの色をも指示するＬＥＤランプ色指示表示４８がなされる。前記ＬＥＤランプ色指示表示４８がなされることにより、複数の利用者でも、棚板電光指示装置３５および棚連電光指示装置３７で指示された色で点灯している各ＬＥＤランプにガイドされて、所望の図書１８の収納位置まで達することができる。
【００３１】
また、前記取出し指示票２７またはスマートフォン２８に表示されたマトリックス型二次元コード２５を、図書１８の取り出し後も保管しておくことにより、一旦取り出した図書１８を元の棚に収納する場合、または時間をおいて、あるいは異なった日に前記と同一の図書１８を取り出す場合も、取り出し、または収納する度ごとにいちいち図書管理システム２２により所望する図書１８を検索することなく、前記保管しているマトリックス型二次元コード２５を使用することにより、極めて迅速に図書の出納ができるのである。
【００３２】
前記所望の図書１８を取り出した後、前記各点灯しているＬＥＤランプは、リーダー３０にマトリックス型二次元コード２５をかざして消灯させて取り出し作業を完了させることもできるし、タイマーで一定時間経過で消灯するようにしてもよい。
【００３３】
なお、図中、４９は、手動による運転操作スイッチで、移動棚は前記マトリックス型二次元コード２５を使用しなくても、該運転操作スイッチ４９によって前記移動棚制御システム３２を介して運転できるよう構成されている。
【符号の説明】
【００３４】
Ｔ  電動式移動棚装置
Ａ〜Ｅ  移動棚
Ｍ１〜Ｍ５  可逆モータ
Ｗ  走行車輪
Ｒ  レール
１１〜１４  通路
１５  棚板
１６  区画板
１７  棚連
１８  図書
１９  図書管理固有バーコード
２０  棚列・棚段管理固有バーコード
２１  バーコードリーダー
２２  移動棚管理パソコン
２３  業務用管理サーバ
２４  図書管理システム
２５  マトリックス型二次元コード
２６  プリンター
２７  取出し指示票
２８  スマートフォン
２９  正面板
３０  リーダー
３１  タッチパネル式ディスプレイ装置
３２  移動棚制御システム
３３  天板
３４  ＬＥＤランプ
３５  棚列電光指示装置
３６  ＬＥＤランプ
３７  棚連電光指示装置
３８  ＬＥＤランプ固定板
３９  側面板
４０  区画板
４１  ランプ室
４２  半透明プラスチックカバー
４３  ＬＥＤランプ固定板
４４  区画板
４５  ランプ室
４６  半透明プラスチックカバー
４７  マップ表示
４８  ＬＥＤランプ色指示表示
４９  運転操作スイッチ
【図１】
2015131717.tif 000003
【図２】
2015131717.tif 000004
【図３】
2015131717.tif 000005
【図４】
2015131717.tif 000006
【図５】
2015131717.tif 000007
【図６】
2015131717.tif 000008
【図７】
2015131717.tif 000009
【手続補正書】
【提出日】平成27年2月9日(2015.2.9)
【手続補正１】
【補正対象書類名】明細書
【補正対象項目名】０００１
【補正方法】変更
【補正の内容】
【０００１】
本発明は、図書館において、図書を収納する電動式移動棚装置に関し、より詳細には、マトリックス型二次元コード（一般には、「ＱＲコード（登録商標）」と呼ばれている）を使用して、ディスプレイ装置に所望する図書を収納した棚位置をマップ表示する一方、該図書が収納されている移動棚および棚連をＬＥＤ電光表示するため、各移動棚の正面板および複数の棚連より成る各棚連の天板に、それぞれ色の異なる複数個のＬＥＤランプが設置され、該ＬＥＤランプの数の分の複数の利用者が同時に利用できるようにすると共に、所望する図書が収納されている移動棚および棚連の位置を、各利用者ごと同一の色のＬＥＤランプを点灯させて、利用者が前記点灯している移動棚および棚連のＬＥＤランプを視認することにより、電動式移動棚に収納された図書の位置を迅速に把握することができ、その結果出納作業が効率よくできる図書館における電動式移動棚装置に関するものである。
【手続補正２】
【補正対象書類名】明細書
【補正対象項目名】０００７
【補正方法】変更
【補正の内容】
【０００７】
本発明は、前記課題を解決すべくなされたものであって、図書名・著者名および分類番号等の書誌情報と、前記書誌情報を変換して形成されたマトリックス型二次元コードとを登録した図書管理システムにより、利用者が所望する図書の書誌情報を入力して検索して、所望する図書が収納されている棚列・棚段管理固有番号おおび図書管理固有番号と、前記書誌情報をマトリックス型二次元コードとして表示した取出し指示票をプリントアウトし、あるいは前記表示されたマトリックス型二次元コードをスマートフォンで保存し、該取出し指示票またはスマートフォンで保存されたマトリックス型二次元コードを、移動棚に設置されたリーダーにかざして読み取り、その登録情報がタッチパネル式ディスプレイ装置に表示され、利用者が該タッチパネル式ディスプレイ装置に表示された登録情報が所望の図書のものと同一であることも確認して、タッチパネルスイッチにタッチすると、移動棚制御システムの指令信号により、所望の図書が収納されている移動棚を移動させて所望の通路を開放できるようにする一方、前記ディスプレイ装置に所望する図書の収納位置がマップ表示されると共に、前記所望の図書が収納されている移動棚の正面板と、該所望の図書が収納されている棚板が位置する棚連の天板とに設置された色の違う複数個のＬＥＤランプのうち、各利用者のそれぞれを示す同一色のＬＥＤランプを点灯させて、所望する図書が収納されている移動棚および棚連の位置を利用者が視認ことにより、電動式移動棚に収納された図書の位置を迅速に把握することができ、その結果出納作業が効率よくでき、更に前記複数個のＬＥＤランプの数の分だけ、同時に複数の利用者が利用できるようにした図書館における電動式移動棚装置に関するものである。
【手続補正３】
【補正対象書類名】明細書
【補正対象項目名】０００８
【補正方法】変更
【補正の内容】
【０００８】
本発明は、図書が収納されている各移動棚の棚板の棚列・棚段管理固有バーコードをバーコードリーダーで読み込むと共に、前記収納保管する図書の図書管理固有バーコードを前記バーコードリーダーで読み込み、且つ前記棚列・棚段管理固有バーコードおよび図書管理固有バーコードを読み込んだ前記バーコードリーダーを有線または無線により移動棚管理パソコンに接続して、該バーコードリーダーに読み込まれた棚列・棚段管理固有番号および図書管理固有番号を移動棚管理パソコンに登録した後、該移動棚管理パソコンから前記登録情報を業務用管理サーバに転送して登録し、更に、予めＯＰＡＣ検索システムにより取得した図書名・著者名および分類番号等の書誌情報と、前記書誌情報を変換して形成されたマトリックス型二次元コードとを登録した図書管理システムの登録情報と、前記業務用管理サーバの登録情報とを該業務管理サーバでリンクさせて、該リンクして得られた新たな登録情報を、前記図書管理システムに登録し、利用者が、前記図書管理システムにより所望する図書の書誌情報を入力して検索して、所望する図書が収納されている棚列・棚段管理固有番号および図書管理固有番号と、所望する図書の書誌情報をマトリックス型二次元コードとして表示した取出し指示票をプリントアウトし、あるいは前記表示されたマトリックス型二次元コードをスマートフォンで保存し、該取出し指示票またはスマートフォンで保存されたマトリックス型二次元コードを、前記移動棚に設置されたリーダーにかざして読み取り、前記図書管理システムの登録情報がタッチパネル式ディスプレイ装置に表示され、利用者が該タッチパネル式ディスプレイ装置に表示された登録情報が所望の図書のものと同一であることを確認して、タッチパネルスイッチにタッチすると、移動棚制御システムの指令信号により、所望の図書が収納されている移動棚を移動させて所望の通路を開放できるようにする一方、前記ディスプレイ装置に所望する図書の収納位置がマップ表示される図書館における電動式移動棚装置において、
前記棚列電光指示装置は、移動棚の各正面板の上方部の両側端面を斜めに切断して、該切断部にＬＥＤランプ固定板を前記正面板と該正面板に連なる側面板に斜めに架け渡して固定し、且つ該ＬＥＤランプ固定板に複数の区画板を一定間隔を有して固設して、複数個のランプ室を設けると共に、該各ランプ室に前記色の異なるＬＥＤランプを設置し、且つ該ＬＥＤランプの外側に、直角に折曲した半透明プラスチックカバーを固定して形成され、前記棚連電光指示装置は、各棚板の各連の各天板の前面側に、ＬＥＤランプ固定板を固定し、且つ該ＬＥＤランプ固定板に複数の区画板を一定間隔を有して固設して、複数個のランプ室を設けると共に、該各ランプ室に前記色の異なるＬＥＤランプを設置し、更に、該ＬＥＤランプの外側に、半透明プラスチックカバーを固定して形成され、前記ディスプレイ装置に、所望の図書が収納されている移動棚の位置を示すマップ表示がなされたとき、各利用者のそれぞれを示すＬＥＤランプの色を指示するＬＥＤランプ色指示表示がなされると共に、前記棚列電光指示装置および棚連電光指示装置を構成するそれぞれ色の異なる複数個のＬＥＤランプのうち、各利用者のそれぞれを示す同一色のＬＥＤランプを点灯させるという手段を採用することにより、上記課題を解決した。
【手続補正４】
【補正対象書類名】明細書
【補正対象項目名】０００９
【補正方法】変更
【補正の内容】
【０００９】
前記構成より成る本発明によれば、図書管理システムにより、利用者が所望する図書の書誌情報を入力して検索して、所望する図書の書誌情報およびマトリックス型二次元コードを表示した取出し指示票をプリントアウトし、あるいは前記マトリックス型二次元コードをスマートフォンで保存し、該取出し指示票またはスマートフォンで保存されたマトリックス型二次元コードを、移動棚に設置されたリーダーにかざして読み込み、その登録情報がタッチパネル式ディスプレイ装置に表示され、移動棚制御システムの指令信号により、所望の図書が収納されている移動棚を移動させて所望の通路を開放できるようにする一方、前記ディスプレイ装置に所望する図書の収納位置がマップ表示されるので、収納棚の大体の位置を把握できると共に、前記所望の図書が収納されている移動棚の正面板と、該所望の図書が収納されている棚板が位置する棚連の天板とに色の異なる複数個のＬＥＤランプが設置され、前記ディスプレイ装置に各利用者のそれぞれを示すＬＥＤランプの色を指示するランプ色指示表示がなされて、該当する色のＬＥＤランプを点灯させるので、利用者が簡単、且つ迅速に点灯しているＬＥＤランプを視認して、電動式移動棚に収納された図書の位置を迅速に把握することができ、その結果出納作業が迅速、且つ効率よくでき、更に前記複数個のＬＥＤランプの数の分だけ、同時に複数の利用者が利用でき、また、一旦取り出した図書を元の棚に収納する場合、または時間をおいて、あるいは異なった日に前記同一の図書を取り出す場合も、いちいち図書管理システムにより所望する図書を検索することなく、前記一旦プリントアウトした取出した指示票、またはスマートフォンを再度使用することにより、極めて迅速に図書の出納作業ができるという優れた効果を奏することができる。
【手続補正５】
【補正対象書類名】明細書
【補正対象項目名】００１８
【補正方法】変更
【補正の内容】
【００１８】
前記棚列・棚段管理固有バーコード２０および図書管理固有バーコード１９の読み込み作業が完了すると、図書管理者は前記棚列・棚段管理固有バーコード２０および図書管理固有バーコード１９を読み込んだ前記バーコードリーダー２１を有線または無線により移動棚管理パソコン２２に接続して、該バーコードリーダー２１に読み込まれた棚列・棚段管理固有番号および図書管理固有番号を前記移動棚管理パソコン２２に登録した後、該移動棚管理パソコン２２から前記登録情報を業務用管理サーバ２３に転送して登録し、更に、予めＯＰＡＣ検索システムにより取得した図書の図書名・著者名および分類番号等の書誌情報と、前記書誌情報を変換して形成したマトリックス型二次元コードとを登録した図書管理システム２４の登録情報と、前記業務用管理サーバ２３の登録情報とを該業務管理サーバ２３でリンクさせて、該リンクして得られた新たな登録情報を前記図書管理システム２４に登録することにより図書情報の登録作業が完了する。
【手続補正６】
【補正対象書類名】明細書
【補正対象項目名】００１９
【補正方法】変更
【補正の内容】
【００１９】
前記図書管理システム２４に前記登録情報が登録されることが、本発明の前提条件となる。すなわち、前記図書情報の登録が完了した後、図書利用者は、前記図書管理システム２４において、所望する図書に関する所定の図書情報を入力して図書の検索をして、所望する図書が収納されている棚列・棚段管理固有番号および図書固有管理番号と、前記登録情報を変換して形成されたマトリックス型二次元コード２５とを表示してプリンター２６で取出し指示票２７としてプリントアウトすることができるよう形成されている。なお、前記取り出し指示票２７に表示されたマトリックス型二次元コード２５をスマートフォン２８に取り込んで保存することもできる。
【手続補正７】
【補正対象書類名】明細書
【補正対象項目名】００２８
【補正方法】変更
【補正の内容】
【００２８】
前記構成より成る電動式移動棚装置の作用について説明する。利用者は図書管理システム２４を用いて所望する図書を検索して、所望する図書が収納されている棚列・棚段管理固有番号および図書管理固有番号と、前記書誌情報をマトリックス型二次元コード２５として前記図書管理システム２４に表示させ、所望する図書が収納されている棚列・棚段管理固有番号および図書管理固有番号と、マトリックス型二次元コード２５をプリンター２６で取出し指示票２７としてプリントアウト、または前記マトリックス型二次元コード２５をスマートフォン２８に保存する。
【手続補正８】
【補正対象書類名】明細書
【補正対象項目名】００２９
【補正方法】変更
【補正の内容】
【００２９】
前記所望する図書が収納されている棚列・棚段管理固有番号および図書管理固有番号と、マトリックス型二次元コード２５とをプリンター２６で取出し指示票２７としてプリントアウトし、または前記マトリックス型二次元コード２５をスマートフォン２８に保存した後、利用者は該取出し指示票２７に表示されたマトリックス型二次元コード２５、またはスマートフォン２８に保存されたマトリックス型二次元コード２５をリーダー３０にかざして、所望する図書が収納されている棚列・棚段管理固有番号および図書管理固有番号とマトリックス型二次元コード２５に記録された情報をタッチパネル式ディスプレイ装置３１に表示させ、前記タッチパネル式ディスプレイ装置３１に表示された情報が、利用者の所望する図書の情報と一致するものであれば、前記タッチパネル式ディスプレイ装置３１のタッチパネルスイッチにタッチして、前記移動棚制御システム３２を介して移動棚移動指令を発すると共に、前記ディスプレイ装置３１に所望の図書１８の収納位置が、例えば、図７に示すようにマップ表示４７され、更に、前記所望の図書１８が収納されている移動棚の正面板２９および棚板１５の棚連１７の天板３３に設置されている前記棚板電光指示装置３５のＬＥＤランプ３４ａ〜３４ｅ、および棚連電光指示装置３７のＬＥＤランプ３６ａ〜３６ｅのうちいずれか１色の各ＬＥＤランプが点灯し、移動棚制御システム３２により移動棚は自動運転されて、図書１８の取り出し、または収納が可能なように作業用通路が形成される。これにより、利用者は、前記点灯している棚列のＬＥＤランプを目標にして通路内に進入すると共に、棚連の点灯しているＬＥＤランプの下方の棚板に収納されている所望の図書１８を取り出すことができる。
【手続補正９】
【補正対象書類名】特許請求の範囲
【補正対象項目名】請求項１
【補正方法】変更
【補正の内容】
【請求項１】
図書が収納されている各移動棚の棚板の棚列・棚段管理固有バーコードをバーコードリーダーで読み込むと共に、前記収納保管する図書の図書管理固有バーコードを前記バーコードリーダーで読み込み、且つ前記棚列・棚段管理固有バーコードおよび図書管理固有バーコードを読み込んだ前記バーコードリーダーを有線または無線により移動棚管理パソコンに接続して、該バーコードリーダーに読み込まれた棚列・棚段管理固有番号および図書管理固有番号を移動棚管理パソコンに登録した後、該移動棚管理パソコンから前記登録情報を業務用管理サーバに転送して登録し、更に、予めＯＰＡＣ検索システムにより取得した図書名・著者名および分類番号等の書誌情報と、前記書誌情報を変換して形成されたマトリックス型二次元コードとを登録した図書管理システムの登録情報と、前記業務用管理サーバの登録情報とを該業務管理サーバでリンクさせて、該リンクして得られた新たな登録情報を、前記図書管理システムに登録し、利用者が、前記図書管理システムにより所望する図書の書誌情報を入力して検索して、所望する図書が収納されている棚列・棚段管理固有番号および図書管理固有番号と、所望する図書の書誌情報をマトリックス型二次元コードとして表示した取出し指示票をプリントアウトし、あるいは前記表示されたマトリックス型二次元コードをスマートフォンで保存し、該取出し指示票またはスマートフォンで保存されたマトリックス型二次元コードを、前記移動棚に設置されたリーダーにかざして読み取り、前記図書管理システムの登録情報がタッチパネル式ディスプレイ装置に表示され、利用者が該タッチパネル式ディスプレイ装置に表示された登録情報が所望の図書のものと同一であることを確認して、タッチパネルスイッチにタッチすると、移動棚制御システムの指令信号により、所望の図書が収納されている移動棚を移動させて所望の通路を開放できるようにする一方、前記ディスプレイ装置に所望する図書の収納位置がマップ表示される図書館における電動式移動棚装置において、
前記棚列電光指示装置は、移動棚の各正面板の上方部の両側端面を斜めに切断して、該切断部にＬＥＤランプ固定板を前記正面板と該正面板に連なる側面板に斜めに架け渡して固定し、且つ該ＬＥＤランプ固定板に複数の区画板を一定間隔を有して固設して、複数個のランプ室を設けると共に、該各ランプ室に前記色の異なるＬＥＤランプを設置し、且つ該ＬＥＤランプの外側に、直角に折曲した半透明プラスチックカバーを固定して形成され、前記棚連電光指示装置は、各棚板の各連の各天板の前面側に、ＬＥＤランプ固定板を固定し、且つ該ＬＥＤランプ固定板に複数の区画板を一定間隔を有して固設して、複数個のランプ室を設けると共に、該各ランプ室に前記色の異なるＬＥＤランプを設置し、更に、該ＬＥＤランプの外側に、半透明プラスチックカバーを固定して形成され、前記ディスプレイ装置に、所望の図書が収納されている移動棚の位置を示すマップ表示がなされたとき、各利用者のそれぞれを示すＬＥＤランプの色を指示するＬＥＤランプ色指示表示がなされると共に、前記棚列電光指示装置および棚連電光指示装置を構成するそれぞれ色の異なる複数個のＬＥＤランプのうち、各利用者のそれぞれを示す同一色のＬＥＤランプを点灯させることを特徴とする図書館における電動式移動棚装置。